(57)【要約】      （修正有）【課題】肋骨の過度の押圧を抑制しつつも、肋骨の下位部分を適度に締め付けることによって、ウエストのくびれを形成することができる胸部サポーターを提供する。【解決手段】長さ方向に伸縮自在な帯状体１０で形成され、胸部に装着することで肋骨の下位部分の周囲を支持する胸部サポーター１であって、帯状体１０は、装着の際に背中側に配置される中央部１１と、中央部１１の左右に位置して、胸部の側部を支持する側面部１２とを有し、左右の側面部１２には、帯状体１０の長さ方向に延びるスリット１５がそれぞれ形成され、胸部への装着時には、スリット１５の上下の側面部１２を第十一肋骨を挟む位置に配置し、スリット１５の上側の側面部１２で第十一肋骨よりも上方を支持すると共に、スリット１５の下側の側面部１２で第十一肋骨よりも下方を支持する。【選択図】図１
0003191877.tif 000002
【実用新案登録請求の範囲】
【請求項１】
長さ方向に伸縮自在な帯状体で形成され、胸部に装着することで肋骨の下位部分の周囲を支持する胸部サポーターであって、
前記帯状体は、装着の際に背中側に配置される中央部と、該中央部の左右に位置して、前記胸部の側部を支持する側面部とを有し、
前記左右の側面部には、前記帯状体の長さ方向に延びるスリットがそれぞれ形成され、
前記胸部への装着時には、前記スリットの上下の前記側面部を、第十一肋骨を挟む位置に配置し、前記スリットの上側の側面部で前記第十一肋骨よりも上方を支持すると共に、前記スリットの下側の側面部で前記第十一肋骨よりも下方を支持することを特徴とする胸部サポーター。
【請求項２】
前記帯状体は、二本の帯状体を幅方向に並べて配置して、長さ方向の両端部及び前記中央部において、前記二本の帯状体をそれぞれ連結し、前記両端部及び中央部において連結される各連結部と、前記二本の帯状体とによって前記スリットがそれぞれ形成されることを特徴とする請求項１に記載の胸部サポーター。
【考案の詳細な説明】
【技術分野】
【０００１】
本考案は、伸縮自在な帯状体で形成され、胸部に装着することで肋骨の周囲を支持する胸部サポーターに関する。
【背景技術】
【０００２】
従来、腰回り（ウエスト）を細くするためには、コルセットやウエストニッパーが用いられている。例えば、特許文献１に示すように、腰部に装着することでウエストから下腹部にかけてのラインを綺麗に見せるウエストニッパーが提案されている（特許文献１）。しかし、この種のウエストニッパーは、幅広の布材で構成されており、装着すると腹部や腰部を幅広く覆うため、体の曲げ伸ばしに支障をきたし、装着した状態では日常の生活が不便になるという問題があった。
【０００３】
一方、ウエストのくびれは肋骨の下位部分から始まっており、肋骨が開いているとくびれを形成することが困難であるため、ウエストにくびれを作るためには、肋骨を締めることが効果的であるということが提唱されている。また、装着することで、下方の肋骨を持ち上げて姿勢を矯正する姿勢矯正ベルトが提案されている（特許文献２）。
【先行技術文献】
【特許文献】
【０００４】
【特許文献１】特開２００６−３４２４４７号公報
【特許文献２】実用新案登録第３１０２６５０号公報
【考案の概要】
【考案が解決しようとする課題】
【０００５】
ところで、人の体には凹凸があり、肋骨付近においては、肋骨が突出している。特に、肋骨の下位部分近傍においては、凹凸が顕著である。ここで、肋骨は、主に１２本の骨で形成されており、肋骨の下位部分は、第十肋骨までは、軟骨によって他の肋骨と連結されている。第十一肋骨及び第十二肋骨は、端部が自由端となっている。なお、第十二肋骨は一番短い肋骨である。
【０００６】
上記特許文献１におけるウエストニッパーや、特許文献２における矯正ベルトは、いずれも幅方向に平坦である。そのため、このように平坦なウエストニッパーや矯正ベルトを装着することで、肋骨を含む領域を締め付けると、体の凹凸に係らず、装着領域全体が均一に押圧される。特に端部が自由端である第十一肋骨の突出部が、ウエストニッパーや矯正ベルトの平坦な面によって過度に押圧されてしまう。
【０００７】
そこで、本考案においては、肋骨の過度の押圧を抑制しつつも、肋骨の下位部分を適度に締め付けることによって、ウエストのくびれを形成することができる胸部サポーターを提供することを技術的課題とする。
【課題を解決するための手段】
【０００８】
上記課題を解決するための本考案の胸部サポーターは、長さ方向に伸縮自在な帯状体で形成され、胸部に装着することで肋骨の下位部分の周囲を支持する胸部サポーターであって、帯状体は、背中側に配置される中央部と、中央部の左右に位置して、胸部の側部を支持する側面部とを有し、左右の側面部には、帯状体の長さ方向に延びるスリットがそれぞれ形成され、胸部への装着時には、スリットの上下の側面部を、第十一肋骨を挟む位置に配置し、スリットの上側の側面部で第十一肋骨よりも上方を支持すると共に、スリットの下側の側面部で第十一肋骨よりも下方を支持することを特徴とする。
【０００９】
このような構成によれば、胸部サポーターは、伸縮自在な帯状体であるため、肋骨の下位部分を適度に締め付けることができる。また、帯状体の側面部にスリットを有するため、胸部サポーターの装着時には、スリットの上下の側面部によって第十一肋骨を挟むように装着される。このように胸部サポーターを装着することによって、帯状体に形成されたスリットから第十一肋骨を突出させることができる。そのため、帯状体によって第十一肋骨を直接押圧することがない。したがって、胸部サポーターを下位肋骨部分に装着しても、端部が自由端である第十一肋骨の突出部分を過度に押圧することはない。
【００１０】
胸部サポーターの装着時には、スリットの上側の側面部は、第十一肋骨の情報に配置される。このとき、スリットの側面部によって第十肋骨が押圧されるが、第十肋骨は、軟骨によって他の肋骨と連結されており、十分な強度を有するため、平面部によって押圧されても問題はない。一方、スリットの下側の側面部は、第十一肋骨の下方を支持するため、ウエストのくびれを確実に形成することができる。
【００１１】
また、帯状体は、二本の帯状体を幅方向に並べて配置して、長さ方向の両端部及び中央部において、二本の帯状体をそれぞれ連結し、両端部及び中央部において連結される各連結部と、二本の帯状体とによってスリットがそれぞれ形成されることが好ましい。これによって、帯状体の端部と中央部との間に広い開口を確保することができる。また、二本の帯状体を幅方向に並べて配置したことにより、各帯状体は、均一な引っ張り力を与えることができる。そのため、肋骨の下位部分の周囲を、偏りなく適度に締め付けて支持することができる。
【００１２】
以上のように、本考案によれば、肋骨の過度の押圧を抑制しつつも、肋骨の下位部分を適度に締め付けることによって、ウエストのくびれを形成することができる胸部サポーターを提供することが可能となる。
【図面の簡単な説明】
【００１３】
【図１】本考案の一実施形態にかかる胸部サポーターの正面図である。
【図２】図１に示す胸部サポーターの背面図である。
【図３】図１に示す胸部サポーターの装着状態を示す斜視図である。
【図４】図３の要部拡大図である。
【図５】本考案の他の実施形態にかかる胸部サポーターの正面図である。
【図６】本考案のさらに他の実施形態にかかる胸部サポーターの正面図である。
【考案を実施するための形態】
【００１４】
以下、本考案にかかる胸部サポーターの一実施形態を図面に基づいて説明する。
【００１５】
本考案にかかる胸部サポーター１は、長尺で長さ方向に伸縮自在な帯状体１０で形成される。胸部サポーター１は、胸部に装着することで肋骨の下位部分の周囲を支持するものであって、図１に示すように、帯状体１０は、装着時に、背中側に配置される中央部１１と、中央部１１の左右に位置して、胸部の側部を支持する側面部１２とを有する。
【００１６】
本実施形態においては、胸部サポーター１は、図１及び図２に示すように、同じ幅寸法を有する二本の帯状体１０（上部帯状体１０Ａ、下部帯状体１０Ｂ）を幅方向に並べて配置して、長さ方向の両端及び中央部１１において連結している。なお、図２は、図１に示す状態の胸部サポーター１を、上下方向に裏表を反転させた状態を示す。このように、帯状体１０を、同じ幅寸法を有する二本の帯状体１０Ａ、１０Ｂから形成したため、各帯状体１０Ａ、１０Ｂは、均一な引っ張り力を与えることができる。
【００１７】
図１には、端部の連結部を端部連結部１３で示す。端部連結部１３は、連結部材を上部帯状体１０Ａ及び下部帯状体１０Ｂを両面側から挟み込んで縫い付けることで形成される。一方、図２に示すように、中央部１１の連結部においては、連結部材１４を一面側に縫い付けることで形成する。ここで、連結部材１４は、例えば、ゴムバンドのような厚みのある部材が好ましい。なお、後述するボーン１６と同様の部材であってもよい。
【００１８】
このように、中央部１１において、連結部材１４によって上部帯状体１０Ａ、下部帯状体１０Ｂを連結することで、帯状体１０の左右の側面部１２に、帯状体１０の長さ方向に延びるスリット１５が、それぞれ形成される。図１及び図２に示すように、スリット１５は、中央部１１に対して左右の二箇所に形成される。このように、本実施形態においては、端部連結部１３と中央部１１との間にスリット１５が形成されるため、広い開口を確保することができる。
【００１９】
図１に示すように、左右の端部連結部１３と中央部１１との間の各帯状体１０Ａ、１０Ｂには、ボーン１６がそれぞれ取付けられる。ボーン１６は、樹脂やワイヤーを芯材として形成され、取付けられることにより、帯状体１０の幅方向の剛性を強化する。ボーン１６は、上部帯状体１０Ａ及び下部帯状体１０Ｂの側面部１２の中央に、それぞれ取付けられ、図示のように合計４箇所に取付けられる。また、ボーン１６は、中央部１１において連結部材１４が取付けられる面とは反対側の面に設けられる。
【００２０】
端部連結部１３には、係止部１７が形成される。係止部１７には、一端側（図１では左側）の端部連結部１３に形成されるフック１７Ａと、他端側（図２では右側）の端部連結部に形成される環状留め具１７Ｂがそれぞれ取付けられる。本実施形態においては、フック１７Ａは、帯状体１０の幅方向に３個の部材が１列になるように取付けられる。また、図２に示すように、環状留め具１７Ｂは、３個の部材が２列になるように並列して取付けられる。このように、環状留め具１７Ｂを２列に配列することによって、装着時のサイズの調整を行うことができる。なお、フック１７Ａ及び環状留め具１７Ｂは、１列に３個に限ることはなく、２個、又は４個以上でもよい。また、環状留め具１７Ｂは、３列以上であってもよい。さらに、係止部１７は、フック１７Ａと環状留め具１７Ｂに限ることはなく、例えば、面ファスナー等であってもよい。
【００２１】
続いて、胸部サポーター１の装着方法について説明する。胸部サポーター１は、図３に示すように、胸部に装着することで、肋骨Ｒの下位部分の周囲を支持する。装着の際には、まず、図１に示す状態の胸部サポーター１を、中央部１１が背中側に位置するように配置させて、側面部１２が胸部の側部を支持するように、両端部を体の前側に位置させる。このような状態で係止部１７を体の前方で係止することで、胸部を囲って装着する。係止部１７の係止は、フック１７Ａを環状留め具１７Ｂに引掛けることで行うが、胸部サポーター１のサイズや締め付け度合いに応じて、２列のうちのどちらか一方の列の環状留め具１７Ｂにフック１７Ａを係止させる。
【００２２】
続いて、胸部に装着された胸部サポーター１の、上部帯状体１０Ａ及び下部帯状体１０Ｂの幅方向の位置をそれぞれ調整する。詳しくは、図４に示すように、胸部サポーター１を、上部帯状体１０Ａと下部帯状体１０Ｂとによって第十一肋骨ＲＡを挟む位置に配置するように、各帯状体１０Ａ、１０Ｂの位置を調整する。これによって、スリット１５から、第十一肋骨ＲＡを突出させることができる。そのため、帯状体１０が第十一肋骨ＲＡを直接押圧することがないため、第十一肋骨ＲＡを過度に押圧することを防止することができる。
【００２３】
このとき、スリット１５の上側の上部帯状体１０Ａの側面部１２によって、第十肋骨部が押圧されるが、第十肋骨は、軟骨によって他の上方の肋骨と連結されているため、上部帯状体１０Ａの側面部１２によって押圧されても問題ない。一方、スリット１５の下側の下部帯状体１０Ｂの側面部１２によっては、第十一肋骨部ＲＡの下方が支持される。そのため、ウエストのくびれ開始部分を締め付けることができるため、ウエストのくびれを確実に形成することができる。
【００２４】
このようにして装着される胸部サポーター１は、例えば、薄手の下着等の上に装着して、その上からシャツなどの着衣を行ってもよい。それによって、胸部サポーター１の装着が外部から分からない状態で、腰回りのくびれを形成することができる。このとき、胸部サポーター１は、側面部１２に形成されるスリット１５よって、上部帯状体１０Ａ及び下部帯状体１０Ｂを、体の凹凸に対して密着して装着することができるため、くびれの形成をより効率的に行うことができる。また、胸部サポーター１を、肋骨Ｒの下位部分の周囲に装着することで、この付近の内臓や横隔膜が持ち上げられる。そのため、胃下垂の防止や腹式呼吸の促進を行うことができるという利点もある。
【００２５】
なお、上記の実施形態においては、帯状体１０として、同じ幅寸法の二本の帯状体１０Ａ、１０Ｂを用いたが、これに限ることはなく、幅寸法の異なる二本の帯状体１０を用いてもよい。これによって、第十一肋骨ＲＡの上方又は第十一肋骨ＲＡのすぐ下方の脇腹のいずれかを、より強く締め付けることが可能となり、目的に応じてくびれをより確実に形成することが可能となる。
【００２６】
また、上記の実施形態においては、帯状体１０として、二本の帯状体１０を並列に並べて連結することで形成したが、これに限ることはなく、一本の帯状体で形成してもよい、具体的には、図５に示すように、胸部サポーター２の帯状体２０は、長方形の形状をしており、装着の際に背中側に配置される中央部２１と、中央部２１の左右に位置して、胸部の側部を支持する側面部２２とを有し、左右の側面部２２には、帯状体２０の長さ方向に延びるスリット２３がそれぞれ形成される。なお、帯状体２０の端部に形成される係止部２４は、上述の係止部１７と同様であるため、詳細な説明を省略する。
【００２７】
さらに、図６に示すように、胸部サポーター３の帯状体３０の側面部３１を、帯状体３０の幅方向に凸形状となる形状としてもよい。これによって、側面部３１に形成されるスリット３２を大きく開口して形成することができる。
【００２８】
なお、図５及び図６に示すように、胸部サポーター２及び３の両端部には、係止部２４及び３３がそれぞれ形成されるが、係止部２４及び３３は、上述の胸部サポーター１の係止部１７と同様であるため、詳細な説明は省略する。また、図５及び図６に示す胸部サポーター２、３の裏面側は、図２に示す胸部サポーター１と同様であるため、図示を省略する。なお、図示を反対側の面において、スリット２３、３２の上下の側面部２２、３１に、ボーンを取付けてもよい。
【００２９】
図５及び図６に示す胸部サポーター２及び３の装着方法は、上述の実施形態と同様であり、胸部サポーター２、３のスリット２３、３２の上下の側面部２２、３１によって、第十一肋骨ＲＡを挟むように装着する。これによって、第十一肋骨ＲＡを、スリット２３、３２から突出させることができる。そのため、胸部サポーター２、３による第十一肋骨ＲＡの過度の押圧を防止することができると共に、体の凹凸に対して密着して装着することができる。
【００３０】
なお、図５及び図６に示す胸部サポーター２、３においては、スリット２３、３２を中央に対して左右に一対形成しているが、これに限ることはなく、スリット２３、３２をそれぞれ複数個形成してもよい。また、スリット２３、３２を、帯状体２０、３０の幅方向の中央に形成しているが、中央よりも上方側又は下方側に変移した位置に形成してもよい。
【００３１】
さらに、上述の実施形態においては、係止部１７をフック１７Ａと環状留め具１７Ｂとによって形成したが、これに限ることはなく、係止部１７を、例えば面ファスナーによって形成してもよい。この場合、面ファスナーの一方側を、帯状体１０の長さ方向に広い範囲で取付けることで、サイズの調整や締め付け具合の調整を容易に行うことができる。
【００３２】
以上述べてきたように、本考案の胸部サポーター１は、長さ方向に伸縮自在な帯状体１０で形成されて、胸部に装着することで肋骨Ｒの下位部分の周囲を支持する胸部サポーター１であって、帯状体１０は、背中側に配置される中央部１１と、中央部１１の左右に位置して、胸部の側部を支持する側面部１２とを有し、左右の側面部１２には、帯状体１０の長さ方向に延びるスリット１５がそれぞれ形成され、胸部への装着時には、スリット１５の上下の側面部１２を第十一肋骨ＲＡを挟む位置に配置し、スリット１５の上側の側面部１２で第十一肋骨ＲＡよりも上方を支持すると共に、スリット１５の下側の側面部１２で第十一肋骨ＲＡよりも下方を支持することを特徴としている。そのため、胸部サポーター１を装着することによって、帯状体１０に形成されたスリット１５から、第十一肋骨ＲＡを突出させることができる。これによって、胸部サポーター１の帯状体１０によって、第十一肋骨ＲＡの過度の押圧を抑制できる。また、帯状体１０は、伸縮自在であるため、第十一肋骨ＲＡよりも下方を適度に締め付けることができ、ウエストのくびれを確実に形成することができる。
【００３３】
以上、本考案の実施形態について説明したが、本考案は上述の実施形態に限定されるものではなく、本考案の要旨を逸脱しない範囲で種々の変更を加え得ることは勿論である。
【符号の説明】
【００３４】
１          胸部サポーター
１０        帯状体
１１        中央部
１２        側面部
１５        スリット
Ｒ          肋骨
ＲＡ        第十一肋骨
【図１】
0003191877.tif 000003
【図２】
0003191877.tif 000004
【図３】
0003191877.tif 000005
【図４】
0003191877.tif 000006
【図５】
0003191877.tif 000007
【図６】
0003191877.tif 000008